【手続補正書】
【提出日】平成31年3月29日(2019.3.29)
【手続補正１】
【補正対象書類名】特許請求の範囲
【補正対象項目名】全文
【補正方法】変更
【補正の内容】
【特許請求の範囲】
【請求項１】
第１のマウントを備えるアクセサリを装着可能なマウント装置であって、
前記アクセサリの前記第１のマウントと結合が可能な第２のマウントは、
当該第２のマウントの周方向に沿って配され、前記アクセサリに設けられた対応する端子との電気的な接続に用いる複数の端子と、
前記複数の端子を保持する端子保持部と、
を有し、
前記複数の端子のそれぞれは、前記アクセサリにおいて前記第１のマウントの周方向に沿って配された複数の端子と電気的に接続でき、
前記端子保持部は、前記第２のマウントの中心軸と平行な方向に段差を備え、
前記複数の端子は、前記マウント装置に前記アクセサリが装着されたことを検出するのに用いる第１の端子と、前記マウント装置に前記アクセサリが装着された状態で、前記マウント装置から前記アクセサリに対して通信用の電源を供給するための第２の端子と、を備え、
前記端子保持部は、少なくとも第１の段と、前記マウント装置に前記アクセサリが装着された状態で当該第１の段よりも前記アクセサリ側に突出した第２の段を有し、
前記第１の端子は、前記端子保持部の前記第１の段において、前記複数の端子のうちの他の端子よりも前記第２の段の近くに配されており、
前記第２の端子は、前記第２の段に配されていることを特徴とするマウント装置。
【請求項２】
前記第１の段は、バヨネット結合による前記マウント装置に対する前記アクセサリの装着方向において、前記第２の段よりも手前に位置し、
前記第１の端子は、前記アクセサリの装着方向において、前記複数の端子のうちの前記第１の段に配された他の端子よりも奥に配されていることを特徴とする請求項１に記載のマウント装置。
【請求項３】
前記複数の端子は、前記第１の段よりも前記第２の段に配された端子の数が少ないことを特徴とする請求項２に記載のマウント装置。
【請求項４】
前記複数の端子は、前記第２の段に、前記複数の端子のうちの他の端子に対応するグランドレベルを示す第３の端子を備えていることを特徴とする請求項２又は３に記載のマウント装置。
【請求項５】
前記第２の端子は、前記第２の段において前記複数の端子のうちの他の端子よりも前記第１の段から離れて配されていることを特徴とする請求項４に記載のマウント装置。
【請求項６】
前記第３の端子は、前記第２の段において、前記複数の端子のうちの他の端子よりも前記第１の段の近くに配されていることを特徴とする請求項４又は５に記載のマウント装置。
【請求項７】
前記複数の端子は、前記アクセサリ側の端子と電気的な接続が可能な接点ピンであって、
前記第１の端子は、前記第１の端子と隣り合う前記第３の端子との端子間のピッチが、前記複数の端子のうちの他の端子同士の端子間のピッチよりも広いことを特徴とする請求項４乃至６の何れか一項に記載のマウント装置。
【請求項８】
前記複数の端子は、前記アクセサリ側の端子と電気的な接続が可能な接点面であって、前記第１の端子は、前記複数の端子の中で、接点面の前記円周方向における幅が前記複数の端子のうちの他の端子よりも狭いことを特徴とする請求項４乃至６の何れか一項に記載のマウント装置。
【請求項９】
前記第１の端子は、前記マウント装置に前記アクセサリを装着する際に、前記複数の端子のうちで、対応するアクセサリ側の端子と最後に接続され、前記マウント装置に対する前記アクセサリの装着を解除する際に、前記複数の端子のうちで、対応するアクセサリ側の端子との接続が最初に解除されることを特徴とする請求項１乃至８の何れか一項に記載のマウント装置。
【請求項１０】
前記複数の端子は、前記第２の段に、前記マウント装置に前記アクセサリが装着された際に、前記マウント装置から前記アクセサリに対してアクチュエータの駆動に用いる電源を供給するための第４の端子を備えることを特徴とする請求項４乃至９の何れか一項に記載のマウント装置。
【請求項１１】
前記複数の端子は、前記第２の段に、前記マウント装置に装着された前記アクセサリの種類の検出に用いる第５の端子を備えていることを特徴とする請求項１０に記載のマウント装置。
【請求項１２】
前記複数の端子は、前記第１の段に、前記第２の端子に対応するグランドレベルを示す第６の端子を備えていることを特徴とする請求項１１に記載のマウント装置。
【請求項１３】
前記複数の端子は、前記第１の段に、前記マウント装置に装着された前記アクセサリとの通信に対応した第７の端子、第８の端子、第９の端子、第１０の端子、第１１の端子、第１２の端子を備えていることを特徴とする請求項１２に記載のマウント装置。
【請求項１４】
前記マウント装置は、撮像装置またはアダプタ装置に設けられていることを特徴とする請求項１乃至１３の何れか一項に記載のマウント装置。
【請求項１５】
第１のマウントを備えるマウント装置に着脱できるアクセサリであって、
前記マウント装置の前記第１のマウントと結合が可能な第２のマウントは、
当該第２のマウントの周方向に沿って配され、前記マウント装置に設けられた対応する端子との電気的な接続に用いる複数の端子と、
前記複数の端子を保持する端子保持部と、
を有し、
前記複数の端子のそれぞれは、前記マウント装置において前記第１のマウントの周方向に沿って配された複数の端子と電気的に接続でき、
前記端子保持部は、前記第２のマウントの中心軸と平行な方向に段差を備え、
前記複数の端子は、前記アクセサリが前記マウント装置に装着されたことを検出するのに用いる第１の端子と、前記マウント装置に前記アクセサリが装着された状態で、前記撮像装置から通信用の電源を受けるための第２の端子と、を備え、
前記端子保持部は、少なくとも第１の段と、前記アクセサリが前記マウント装置に装着された状態で当該第１の段よりも前記マウント装置側に突出した第２の段を有し、
前記第１の端子は、前記端子保持部の前記第１の段において、前記複数の端子のうちの他の端子よりも前記第２の段の近くに配されており、
前記第２の端子は、前記端子保持部の前記第２の段に配されていることを特徴とするアクセサリ。
【請求項１６】
前記第２の段は、バヨネット結合による前記マウント装置に対する前記アクセサリの装着方向において、前記第１の段よりも奥に位置し、
前記第１の端子は、前記アクセサリの装着方向において、前記複数の端子のうちの前記第１の段に配された他の端子よりも手前に配されていることを特徴とする請求項１５に記載のアクセサリ。
【請求項１７】
前記複数の端子は、前記第１の段よりも前記第２の段に配された端子の数が少ないことを特徴とする請求項１６に記載のアクセサリ。
【請求項１８】
前記複数の端子は、前記第２の段に、前記複数の端子のうちの他の端子に対応するグランドレベルを示す第３の端子を備えていることを特徴とする請求項１６又は１７に記載のアクセサリ。
【請求項１９】
前記第２の端子は、前記第２の段において、前記複数の端子のうちの他の端子よりも前記第１の段から離れていることを特徴とする請求項１８に記載のアクセサリ。
【請求項２０】
前記第３の端子は、前記第２の段において、前記複数の端子のうちの他の端子よりも前記第１の段の近くに配されていることを特徴とする請求項１８又は１９に記載のアクセサリ。
【請求項２１】
前記第１の端子は、前記アクセサリが前記マウント装置に装着される際に、前記複数の端子のうちで、対応する前記マウント装置側の端子と最後に接続され、前記マウント装置に対する前記アクセサリの装着を解除する際に、前記複数の端子のうちで、対応する前記マウント装置側の端子との接続が最初に解除されることを特徴とする請求項１５乃至２０の何れか一項に記載のアクセサリ。
【請求項２２】
前記複数の端子は、前記マウント装置側の端子と電気的な接続が可能な接点面であって、
前記第１の端子は、前記複数の端子の中で、接点面の前記周方向における幅が、前記複数の端子のうちの他の端子よりも狭いことを特徴とする請求項１５乃至２１の何れか一項に記載のアクセサリ。
【請求項２３】
前記複数の端子は、前記マウント装置側の端子と電気的な接続が可能な接点ピンであって、前記第１の端子と前記第３の端子との端子間のピッチは、前記複数の端子のうちの他の端子同士の端子間のピッチよりも広いことを特徴とする請求項１８乃至２１の何れか一項に記載のアクセサリ。
【請求項２４】
前記複数の端子は、前記第２の段に、前記アクセサリが前記マウント装置に装着された際に、前記マウント装置から前記アクセサリが備えるアクチュエータの駆動に用いる電源を受けるための第４の端子を備えることを特徴とする請求項１８乃至２１の何れか一項に記載のアクセサリ。
【請求項２５】
前記複数の端子は、前記第２の段に、前記アクセサリの種類を示すのに用いる第５の端子を備えていることを特徴とする請求項２４に記載のアクセサリ。
【請求項２６】
前記複数の端子は、前記第１の段に、前記第２の端子に対応するグランドレベルを示す第６の端子を備えていることを特徴とする請求項２５に記載のアクセサリ。
【請求項２７】
前記複数の端子は、前記第１の段に、前記アクセサリが装着された前記マウント装置との通信に対応した第７の端子、第８の端子、第９の端子、第１０の端子、第１１の端子、第１２の端子を備えていることを特徴とする請求項２６に記載のアクセサリ。
【請求項２８】
前記アクセサリは、前記マウント装置に着脱可能な交換レンズまたはアダプタ装置であることを特徴とする請求項１５乃至２７の何れか一項に記載のアクセサリ。
【手続補正２】
【補正対象書類名】明細書
【補正対象項目名】発明の名称
【補正方法】変更
【補正の内容】
【発明の名称】マウント装置およびアクセサリ
【手続補正３】
【補正対象書類名】明細書
【補正対象項目名】０００１
【補正方法】変更
【補正の内容】
【０００１】
本発明は、他の機器との電気的な接続が可能な端子をマウントに備えた、マウント装置およびアクセサリに関する。
【手続補正４】
【補正対象書類名】明細書
【補正対象項目名】０００８
【補正方法】変更
【補正の内容】
【０００８】
本発明の目的は、電気的な接続に係る信頼性の低下を抑制しつつ、マウント装置に対するアクセサリの装着に関する誤検知を防止することである。
【手続補正５】
【補正対象書類名】明細書
【補正対象項目名】０００９
【補正方法】変更
【補正の内容】
【０００９】
上記目的を達成するために、本発明の撮像装置は、第１のマウントを備えるアクセサリを装着可能なマウント装置であって、前記アクセサリの前記第１のマウントと結合が可能な第２のマウントは、当該第２のマウントの周方向に沿って配され、前記アクセサリに設けられた対応する端子との電気的な接続に用いる複数の端子と、前記複数の端子を保持する端子保持部と、を有し、前記複数の端子のそれぞれは、前記アクセサリにおいて前記第１のマウントの周方向に沿って配された複数の端子と電気的に接続でき、前記端子保持部は、前記第２のマウントの中心軸と平行な方向に段差を備え、前記複数の端子は、前記マウント装置に前記アクセサリが装着されたことを検出するのに用いる第１の端子と、前記マウント装置に前記アクセサリが装着された状態で、前記マウント装置から前記アクセサリに対して通信用の電源を供給するための第２の端子と、を備え、前記端子保持部は、少なくとも第１の段と、前記マウント装置に前記アクセサリが装着された状態で当該第１の段よりも前記アクセサリ側に突出した第２の段を有し、前記第１の端子は、前記端子保持部の前記第１の段において、前記複数の端子のうちの他の端子よりも前記第２の段の近くに配されており、前記第２の端子は、前記第２の段に配されていることを特徴とする。
【手続補正６】
【補正対象書類名】明細書
【補正対象項目名】００１０
【補正方法】変更
【補正の内容】
【００１０】
本発明によれば、電気的な接続に係る信頼性の低下を抑制しつつ、マウント装置に対するアクセサリの装着に関する誤検知を防止することができる。